(57)【特許請求の範囲】
【請求項１】
記録媒体に音声信号を記録又は再生する記録再生手段と、該記録再生手段で再生された音声信号を増幅する再生信号増幅手段と、該再生信号増幅手段で増幅された音声信号に応じた音声を出力する音声出力手段とを有する音声記録再生装置において、
前記再生信号増幅手段と前記音声出力手段との間に設けられ、前記記録再生手段により記録を行うときに、前記再生信号増幅手段の出力音声信号の前記音声出力手段への供給を切断するとともに、前記再生信号増幅手段の出力を前記出力音声信号の中心電圧に設定する第１のミュート用スイッチ手段を有することを特徴とする音声記録再生装置。
【請求項２】
前記再生信号増幅手段と前記音声出力手段との間に設けられ、前記記録再生手段により前記記録媒体に記録する音声記録機能と他の機能との切り換えを行う機能切換スイッチ手段を有し、
前記第１のミュート用スイッチ手段は、前記機能切換スイッチ手段により前記音声記録機能が選択されたときに、前記機能切換スイッチ手段に同期して切り換えられ、前記音声出力信号の前記音声出力手段への供給を切断することを特徴とする請求項１記載の音声記録再生装置。
【請求項３】
前記記録再生手段と前記再生信号増幅手段との間に設けられ、前記記録再生手段により記録を行うときに、前記記録再生手段から前記再生信号増幅手段に供給される音声信号を切断するとともに、該音声信号の中心電圧を前記再生信号増幅手段に供給する第２のミュート用スイッチ手段を有することを特徴とする請求項１又は２記載の音声記録再生装置。
【発明の詳細な説明】
【０００１】
【発明の属する技術分野】
本発明は音声記録再生装置に係り、特に、外部音声を記録できる音声記録再生装置に関する。
【０００２】
【従来の技術】
ＣＤ（Compact Disk）、ラジオ、カセットテープレコーダなどが一体に構成された、いわゆる、ＣＤ付きラジオカセットテープレコーダには、外部音声をカセットテープレコーダによりカセットテープに記録可能な構成とされたものがある。この種のＣＤ付きラジオカセットテープレコーダには、外部音声を記録するための内蔵マイクが設けられており、切換スイッチの操作により外部音声が録音可能な構成とされている。
【０００３】
このとき、内蔵マイクで捕らえられた音声をスピーカにより外部に出力すると、ハウリングが発生するので、スピーカによる音声の出力はミュートされる。このスピーカによる音声出力のミュートは一般にカセットテープレコーダの再生ヘッドアンプの入力をミュート状態にすることにより行われる。
図３に従来の音声記録再生装置の一例のブロック構成図を示す。
【０００４】
従来のＣＤ付きラジオカセットテープレコーダ等の音声記録再生装置１は、磁気テープ２に音声を記録するとともに、磁気テープ２に記録された音声信号を再生するカセットテープレコーダ部３、ＣＤを再生するＣＤ再生部４、ラジオ放送を復調するラジオ部５、外部音声を電気信号に変換する内蔵マイク部６、テープカセット部３により記録機能及び再生機能、ＣＤ再生部４によるＣＤ再生機能、ラジオ部５によるラジオ再生機能、内蔵マイク部６による外部音声をカセットテープレコーダ部３により磁気テープ２に記録する外部音声記録機能等の機能を切り換える機能（Function）切換スイッチ７、機能切換スイッチ７により選択された機能により得られた音声信号を増幅し、出力する音声出力部８、機能の切換を行う操作パネル９から構成される。
【０００５】
カセットテープレコーダ部３は、磁気テープ２への音声信号の記録再生を行う磁気ヘッド１１、磁気ヘッド１１に供給する音声信号を増幅する記録ヘッドアンプ回路１２、磁気ヘッド１１により再生された再生音声信号を増幅する再生ヘッドアンプ回路１３、記録又は再生に応じてパスを切り換える記録再生切換スイッチＳＷ1 , ＳＷ2 から構成される。カセットテープレコーダ部３は、磁気テープ２を磁気ヘッド１１に接触させつつ走行させ、磁気テープ２に音声信号を磁気的に記録するとともに、磁気テープ２に磁気的に記録された記録された音声信号を電気的な音声信号に変換して出力する。
【０００６】
磁気ヘッド１１は、一端が記録再生切換スイッチＳＷ1 の可動接点に接続され、他端は記録ヘッドアンプ回路１２、及び、記録再生切換スイッチＳＷ2 の固定接点に接続される。記録再生切換スイッチＳＷ1 は、可動接点Ｔ1 及び２つの固定接点Ｔ2,Ｔ3 を有し、記録再生の切り換えにより可動接点Ｔ1 が固定接点Ｔ2 又は固定接点Ｔ3 のいずれかに接続される。
【０００７】
記録再生切換スイッチＳＷ1 は、可動接点Ｔ1 が磁気ヘッド１１の一端に接続され、固定接点Ｔ2 が定電流源１４を介して接地され、固定接点Ｔ3 には、コモン電圧１／２Ｖccが印加される。記録再生切換スイッチＳＷ1 は、記録時には可動接点Ｔ1 が固定接点Ｔ2 に接続され、再生時には可動接点Ｔ1 が固定接点Ｔ3 に接続される。
【０００８】
また、記録再生切換スイッチＳＷ2 は、可動接点Ｔ11及び２つの固定接点Ｔ12, Ｔ13を有し、記録再生の切り換えにより可動接点Ｔ11が固定接点Ｔ12又は固定接点Ｔ13のいずれかに接続される。記録再生切換スイッチＳＷ2 は、可動接点Ｔ11が再生ヘッドアンプ回路１３の入力側に接続され、固定接点Ｔ12が磁気ヘッド１１の他端に接続され、固定接点Ｔ13にはコモン電圧１／２Ｖccが印加される。
【０００９】
記録再生切換スイッチＳＷ2 は、記録時には可動接点Ｔ11が固定接点Ｔ13に接続され、再生時には可動接点Ｔ11が固定接点Ｔ12に接続される。
記録ヘッドアンプ回路１２は、オペアンプ２１、及び、抵抗Ｒ1 〜Ｒ6 から構成され、非反転アンプを構成している。記録ヘッドアンプ回路１２は、ＣＤ再生部４、ラジオ部５、内蔵マイク部６から供給される音声信号を増幅して磁気ヘッド１１に供給する。
【００１０】
再生ヘッドアンプ回路１３は、オペアンプ３１、及び、抵抗Ｒ11〜Ｒ14、コンデンサＣ1 ，Ｃ2 から構成され、高利得のアンプを構成している。再生ヘッドアンプ回路１３は、再生時に非反転入力端子が再生記録切換スイッチＳＷ2 により磁気ヘッド１１と接続され、磁気ヘッド１１により再生された信号を増幅して機能切換スイッチ７に供給する。また、再生ヘッドアンプ回路１３は、記録時には非反転入力端子が再生記録切換スイッチＳＷ2 によりコモン電圧１／２Ｖccとされ、ミュート状態とされる。
【００１１】
なお、再生ヘッドアンプ回路１３は、磁気ヘッド１１からの微少な信号を増幅するので、５０Ｈｚで５５ｄＢ、１ＫＨｚで３９ｄＢ、１０ＫＨｚで３４ｄＢと高いゲインに設定されている。
また、機能切換スイッチ７は、可動接点Ｔ21と固定接点Ｔ22, Ｔ23, Ｔ24, Ｔ25から構成され、設定機能に応じて可動接点Ｔ21の接続が切り換えられる。
【００１２】
機能切換スイッチ７の固定接点Ｔ22には、テープレコーダ部３の再生ヘッドアンプ回路１２の出力が接続される。
機能切換スイッチ７の固定接点Ｔ23には、ラジオ部５がバッファ５１を介して接続される。バッファ５１は、ラジオ部５により復調されたラジオ音声信号を増幅して、機能切換スイッチ７の固定接点Ｔ23に供給する。また、バッファ５１と機能切換スイッチ７の固定接点Ｔ23との接続点は、ラジオ音声信号をテープレコーダ部３により磁気テープ２に記録できるようにするため、テープレコーダ部３の記録ヘッドアンプ回路１２の入力に接続される。
【００１３】
機能切換スイッチ７の固定接点Ｔ24には、内蔵マイク部６がバッファ５２を介して接続される。バッファ５１は、内蔵マイク部６から供給された外部音声信号を増幅して、機能切換スイッチ７の固定接点Ｔ24に供給する。また、バッファ５２と機能切換スイッチ７の固定接点Ｔ24との接続点は、テープレコーダ部２の記録ヘッドアンプ回路１２の入力に接続される。
【００１４】
機能切換スイッチ７の固定接点Ｔ25には、ＣＤ再生部４で増幅されたＣＤ音声信号がバッファ５３を介して接続される。バッファ５３は、ＣＤ再生部４により再生されたＣＤ音声信号を増幅して、機能切換スイッチ７の固定接点Ｔ25に供給する。また、バッファ５３と機能切換スイッチ７の固定接点Ｔ25との接続点は、ＣＤ再生部４で再生されたＣＤ音声信号をテープレコーダ部３により磁気テープ２に記録できるようにするため、テープレコーダ部２の記録ヘッドアンプ回路１２の入力に接続される。
【００１５】
機能切換スイッチ７は、テープレコーダ部３で再生された音声を音声出力部８から出力する機能を選択した場合、及び、内蔵マイク部６により取得した外部音声信号をテープレコーダ部３により磁気テープ２に記録する機能を選択した場合に固定接点Ｔ22に接続される。また、機能切換スイッチ７の可動接点Ｔ21は、ラジオ部５で復調されたラジオ音声信号を音声出力部８から出力する機能を選択した場合は、固定接点Ｔ23に接続される。
【００１６】
さらに、機能切換スイッチ７の可動接点Ｔ21は、内蔵マイク部６による入力音声信号を音声出力部８から出力する機能を選択した場合には、固定接点Ｔ24に接続される。また、機能切換スイッチ７の可動接点Ｔ21は、ＣＤ再生部４により再生されたＣＤ再生音声信号を音声出力部８から出力する機能を選択した場合には固定接点Ｔ25に接続される。
【００１７】
出力音声部８は、ボリューム調整用可変抵抗Ｒr 、増幅回路４１、コンデンサＣ21、スピーカ４２から構成され、機能切換スイッチ７により選択された音声信号を増幅して、スピーカ４２により音声として出力される。ボリューム調整用可変抵抗Ｒr は、抵抗Ｒ0 上の摺動接点Ｔ31の摺動位置に応じて機能切換スイッチ７から供給される音声信号レベルを調整可能とされている。抵抗Ｒ0 は一端が機能切換スイッチ７の可動接点Ｔ21に接続され、他端にはコモン電圧１／２Ｖccが印加される。摺動接点Ｔ31は、摺動端が抵抗Ｒ0 上を摺動し、他端が増幅回路４１に接続される。
【００１８】
増幅回路４１は、オペアンプ４３、及び、抵抗Ｒ21，Ｒ22から構成され、パワーアンプを構成している。可変抵抗Ｒr の摺動接点Ｔ31は、オペアンプ４３の非反転入力端子に接続される。増幅回路４１は、ボリューム調整用可変抵抗Ｒr によりレベル調整された音声信号を増幅して、出力する。
増幅回路４１で増幅されて出力された音声信号は、コンデンサＣ11を介してスピーカ４２に供給される。スピーカ４２は、増幅回路４１により増幅された電気音声信号を空気の振動に変換して音声として出力する。
【００１９】
なお、機能切換スイッチ７、記録再生切換スイッチＳＷ1 ，ＳＷ2 は、操作パネル９の操作に応じて切り換えられ、所望の機能を実現する。
図４に従来の音声記録再生装置の一例の動作説明図を示す。
図４（Ａ）は操作パネル９の選択状態、図４（Ｂ）は機能切換スイッチ７の可動接点の接続状態、図４（Ｃ）は記録再生切換スイッチＳＷ1 の可動接点Ｔ1 の接続状態、図４（Ｄ）は記録再生切換スイッチＳＷ2 の可動接点Ｔ11の接続状態を示す。
【００２０】
まず、図４（Ａ）の時刻ｔ1 で操作パネル９によりテープレコーダ部３による磁気テープ２の再生を選択すると、図４（Ｂ）に示すように機能切換スイッチ７は、可動接点Ｔ21が固定接点Ｔ22に接続される。このとき、テープレコーダ部３は磁気テープ２の再生が選択されるため、記録再生切換スイッチＳＷ1 は、可動接点Ｔ1 が再生時に切り換えられる固定接点Ｔ3 に接続され、記録再生切換スイッチＳＷ2 は、可動接点Ｔ11が再生時に切り換えられる固定接点Ｔ13に接続される。
【００２１】
以上により、磁気ヘッド１１で電気信号に変換された音声信号は記録再生切換スイッチＳＷ2 を介して再生ヘッドアンプ回路１３に供給され、増幅された後、機能切換スイッチ７の固定端子Ｔ22に供給される。このため、テープレコーダ部３で再生された音声信号が音声出力部８に供給され、スピーカ４２から出力される。
【００２２】
時刻ｔ2 で操作パネル９により入力として内蔵マイク部６によるテープレコーダ部３への外部音声の録音が選択されると、図４（Ｂ）に示すように機能切換スイッチ７は、可動接点Ｔ21が固定接点Ｔ22に接続される。このとき、テープレコーダ部３は磁気テープ２の記録が選択されるため、記録再生切換スイッチＳＷ1 は、可動接点Ｔ1 が記録時に切り換えられる固定接点Ｔ2 に接続され、記録再生切換スイッチＳＷ2 は、可動接点Ｔ11が記録時に切り換えられる固定接点Ｔ12に接続される。このため、再生ヘッドアンプ回路１３にはコモン電圧１／２Ｖccが供給されるため、再生ヘッドアンプ回路１３からは、音声信号が出力されることがない。この再生ヘッドアンプ回路１３の出力音声信号が機能切換スイッチ７を介して音声出力部８に供給される。以上により、音声出力部８のスピーカ４２はミュート状態とされる。
【００２３】
なお、従来のＣＤ付きラジオカセットテープレコーダ１では、内蔵マイク部６によりテープレコーダ部３に音声を録音する場合、磁気ヘッド１１から再生ヘッドアンプ回路への入力信号を記録再生スイッチにより切断して、ミュートを行う。このとき、記録再生切換スイッチＳＷ2 の切り替えにより再生ヘッドアンプ回路１３には、コモン電圧１／２Ｖccが磁気ヘッド１１からの入力信号に代えて入力される。
【００２４】
【発明が解決しようとする課題】
しかるに、従来のＣＤ付きラジオカセットテープレコーダ１では、内蔵マイク部６によりテープレコーダ部３に音声を録音する場合、磁気ヘッド１１から再生ヘッドアンプ回路１３への入力信号を記録再生切換スイッチＳＷ2 により切断して、ミュートを行う。このとき、記録再生切換スイッチＳＷ2 の切り換えにより再生ヘッドアンプ回路１３には、コモン電圧１／２Ｖccがヘッドからの入力信号に代えて入力される。
【００２５】
このため、コモン電圧１／２Ｖccにノイズか乗ると、ノイズが再生ヘッドアンプ回路１３により増幅され、機能切換スイッチ７に供給される。このとき、カセットテープレコーダ部３が選択されるので、機能切換スイッチ７は、再生ヘッドアンプ回路１３の出力が選択される。
したがって、再生ヘッドアンプ回路１３で増幅されたノイズは、機能切換スイッチ７からスピーカ駆動用増幅回路４１に供給され、スピーカ４２から出力される等の問題点があった。
【００２６】
本発明は上記の点に鑑みてなされたもので、外部音声録音時のノイズの発生を低減できる記録再生装置を提供することを目的とする。
【００２７】
【課題を解決するための手段】
本発明の請求項１は、記録媒体に音声信号を記録又は再生する記録再生手段と、該記録再生手段で再生された音声信号を増幅する再生信号増幅手段と、該再生信号増幅手段で増幅された音声信号に応じた音声を出力する音声出力手段とを有する音声記録再生装置において、前記再生信号増幅手段と前記音声出力手段との間に設けられ、前記記録再生手段により記録を行うときには、前記再生信号増幅手段の出力音声信号の前記音声出力手段への供給を切断するとともに、前記再生信号増幅手段の出力を前記出力音声信号の中心電圧に設定する第１のミュート用スイッチ手段を有することを特徴とする。
【００２８】
請求項１によれば、第１のミュート用スイッチ手段により記録再生手段により記録を行うときに再生信号増幅手段の出力音声信号の音声出力手段への供給を切断するとともに、前記再生信号増幅手段の出力を前記出力音声信号の中心電圧に設定することにより、ノイズが再生信号増幅手段により増幅されてしまうことがないため、ノイズが増幅されて音声出力手段に供給されることがなく、したがって、音声出力手段から出力されるノイズを大幅に低減できる。
【００２９】
請求項２は、前記再生信号増幅手段と前記音声出力手段との間に設けられ、前記記録再生手段により前記記録媒体に記録する音声記録機能と他の機能との切り換えを行う機能切換スイッチ手段を有し、前記第１のミュート用スイッチ手段は、前記機能切換スイッチ手段により前記音声記録機能が選択されたときに、前記機能切換スイッチ手段に同期して切り換えられ、前記音声出力信号の前記音声出力手段への供給を切断することを特徴とする。
【００３０】
請求項２によれば、第１のミュート用スイッチ手段は、機能切換スイッチ手段により音声記録機能が選択されたときに、機能切換スイッチ手段に同期して切り換えられ、音声出力信号の前記音声出力手段への供給を切断されるため、操作性を低下させることなくノイズの低減を行える。請求項３は、前記記録再生手段と前記再生信号増幅手段との間に設けられ、前記記録再生手段により記録を行うときに、前記記録再生手段から前記再生信号増幅手段に供給される音声信号を切断するとともに、該音声信号の中心電圧を前記再生信号増幅手段に供給する第２のミュート用スイッチ手段を有することを特徴とする。
【００３２】
【発明の実施の形態】
図１に本発明の記録再生装置の一実施例のブロック構成図を示す。同図中、図３と同一構成部分には同一符号を付し、その説明は省略する。
本実施例の音声記録再生装置１００は、再生ヘッドアンプ回路１３と機能切換スイッチ７との間にミュート用スイッチＳＷ11を付加した構成としてなる。
【００３３】
ミュート用スイッチＳＷ11は、機械的スイッチ、または、電気的スイッチから構成され、操作パネル１０１の操作に応じて機能切換スイッチ７及び記録再生切換スイッチＳＷ1 ，ＳＷ2 と同期して切り換えられる。ミュート用スイッチＳＷ11は、可動接点Ｔ31、及び、２つの固定接点Ｔ32，Ｔ33を有する。
ミュート用スイッチＳＷ11の可動接点Ｔ31は、再生ヘッドアンプ回路１３の出力に接続され、固定接点Ｔ32は、コモン電圧１／２Ｖccが印加され、固定接点Ｔ33は、機能切換スイッチ７の固定接点Ｔ22に接続される。
【００３４】
機能切換スイッチ７により内蔵マイク部６からの外部音声信号のテープレコーダ部３による磁気テープ２への記録機能が選択された場合には、機能切換スイッチ７の可動接点Ｔ21は、固定接点Ｔ22に接続され、ミュート用スイッチＳＷ11の固定接点Ｔ33に接続される。また、ミュート用スイッチＳＷ11は、固定接点Ｔ32に接続される。
【００３５】
機能切換スイッチ７によりテープレコーダ部３で磁気テープ２に記録された音声信号を再生する機能が選択された場合には、機能切換スイッチ７は可動接点Ｔ21が固定接点Ｔ22に接続される。また、ミュート用スイッチＳＷ11は、可動接点Ｔ31が固定接点Ｔ33に接続される。このため、音声出力部８には再生ヘッドアンプ回路１３の出力音声信号が供給される。
【００３６】
図２に本発明の音声記録再生装置の一実施例の動作説明図を示す。図２（Ａ）は操作パネル１０１の選択状態、図２（Ｂ）は機能切換スイッチ７の可動接点Ｔ21の接続状態、図２（Ｃ）は記録再生切換スイッチＳＷ1 の可動接点Ｔ1 の接続状態、図２（Ｄ）は記録再生切換スイッチＳＷ2 の可動接点Ｔ11の接続状態、図２（Ｅ）はミュート用スイッチＳＷ11の可動接点Ｔ31の接続状態を示す。
【００３７】
まず、図２（Ａ）の時刻ｔ1 で操作パネル１０１によりテープレコーダ部３による磁気テープ２の再生を選択すると、図２（Ｂ）に示すように機能切換スイッチ７は、可動接点Ｔ21が固定接点Ｔ22に接続される。このとき、テープレコーダ部３は磁気テープ２の再生が選択されるため、記録再生切換スイッチＳＷ1 は、図２（Ｃ）に示すように可動接点Ｔ1 が再生時に切り換えられる固定接点Ｔ3 に接続され、記録再生切換スイッチＳＷ2 は、図２（Ｄ）に示すように可動接点Ｔ11が再生時に切り換えられる固定接点Ｔ13に接続される。また、ミュート用スイッチＳＷ11は、図２（Ｅ）に示すように可動接点Ｔ31が固定接点Ｔ33に接続され、再生ヘッドアンプ回路１３と機能切換スイッチ７の固定接点Ｔ22とを接続するように切り換えられる。
【００３８】
以上により、磁気ヘッド１１で電気信号に変換された音声信号は記録再生切換スイッチＳＷ2 を介して再生ヘッドアンプ回路に供給され、増幅された後、ミュート用スイッチＳＷ11を介して機能切換スイッチ７の固定端子Ｔ22に供給される。このため、テープレコーダ部３で再生された音声信号が音声出力部８に供給され、スピーカ４２から出力される。
【００３９】
時刻ｔ2 で図２（Ａ）に示すように操作パネル１０１により入力として内蔵マイク部６が選択され、かつ、テープレコーダ部３による録音が選択されると、図２（Ｂ）に示すように機能切換スイッチ７は、可動接点Ｔ21が固定接点Ｔ22に接続される。このとき、テープレコーダ部３は磁気テープ２の記録が選択されるため、記録再生切換スイッチＳＷ1 は、図２（Ｂ）に示すように可動接点Ｔ1 が記録時に切り換えられる固定接点Ｔ2 に接続され、記録再生切換スイッチＳＷ2 は、図２（Ｃ）に示すように可動接点Ｔ11が記録時に切り換えられる固定接点Ｔ12に接続される。
【００４０】
さらに、ミュート用スイッチＳＷ11は、可動接点Ｔ31が固定接点Ｔ32に接続され、再生ヘッドアンプ回路１３の出力にはコモン電圧１／２Ｖccが供給され、再生ヘッドアンプ回路１３の出力は、再生信号の中心電圧の保持される。
一方、機能切換スイッチ７の固定接点Ｔ22は開放状態とされる。このため、音声出力部８の入力は、０となり、スピーカ４２はミュート状態とされる。
【００４１】
以上、本実施例によれば、内蔵マイク部６で得られた外部音声をカセットテープレコーダ部３により磁気テープ２に記録する場合など、カセットテープ部３の再生ヘッドアンプ回路１３が駆動された状態で、出力音声をミュートする場合には、再生ヘッドアンプ回路１３の出力側に設けられたミュート用スイッチＳＷ11をミュート側に切り換え音声出力部８の入力を開放状態にことにより、音声出力部８をミュート状態にすることができる。このとき、再生ヘッドアンプ回路１３の出力には、ミュート用スイッチＳＷ11によりコモン電圧１／２Ｖccが供給される。
【００４２】
なお、本実施例では、音声を記録再生する手段としてテープレコーダを用いたが、これに限られるものではなく、音声を記録再生可能な手段で有ればよい。
【００４３】
【発明の効果】
上述の如く、本発明の請求項１によれば、記録再生手段により記録を行うときに再生信号増幅手段の出力音声信号の音声出力手段への供給を切断するミュート用スイッチ手段は再生信号増幅手段と音声出力手段との間に設けられ、再生信号増幅手段の出力音声信号を切断するので、ノイズが再生信号増幅手段により増幅されてしまうことがないため、ノイズが増幅されて音声出力手段に供給されることがなく、したがって、音声出力手段から出力されるノイズを大幅に低減できる等の特長を有する。
【００４４】
請求項２によれば、ミュート用スイッチ手段は、機能切換スイッチ手段により音声記録機能が選択されたときに、機能切換スイッチ手段に同期して切り換えられ、音声出力信号の前記音声出力手段への供給を切断されるため、操作性を低下させることなくノイズの低減を行える等の特長を有する。
請求項３によれば、中心電圧供給手段によりミュート用スイッチが再生信号増幅手段の出力音声信号の音声出力手段への供給を切断するように切り換えたときに、再生信号増幅手段の出力に中心電圧を供給するので、ミュート時に再生信号増幅手段の出力を中心電圧に保持できる等の特長を有する。
【図面の簡単な説明】
【図１】本発明の音声記録再生装置の一実施例のブロック構成図である。
【図２】本発明の音声記録再生装置の一実施例の動作説明図である。
【図３】従来の音声記録再生装置の一例のブロック構成図である。
【図４】従来の音声記録再生装置の一例の動作説明図である。
【符号の説明】
２  磁気テープ
３  テープレコーダ部
４  ＣＤ再生部
５  ラジオ部
６  内蔵マイク部
７  機能切換スイッチ
８  音声出力部
１１  磁気ヘッド
１２  記録ヘッドアンプ回路
１３  再生ヘッドアンプ回路
１４  定電流源
２１，３１，４３  オペアンプ
４２  スピーカ
Ｒr   可変抵抗
１００  音声記録再生装置
１０１  操作パネル
【図１】
0003671582.tif 000002
【図２】
0003671582.tif 000003
【図３】
0003671582.tif 000004
【図４】
0003671582.tif 000005